(57)【要約】【課題】固定側筐体における可動側筐体との擦過傷の発生を回避すると共に、部品点数を削減し、組立作業性を改善することができるキーパッド及び携帯端末装置を提供すること。【解決手段】表示部を有する可動側筐体３と互いに摺動自在に連結され、操作部を有する固定側筐体２に装着されたキーパッド２０であって、可動側筐体３に対向する固定側筐体２の表面に取り付けられ、中央側に操作者の操作を受け付ける操作キー２２を配置したシート状のキーパッド本体２４と、操作キー２２を囲繞するように、キーパッド本体２４の外周側表面に一体成形され、可動側筐体３の摺動時に当該可動側筐体３と摺接するレール状の緩衝部材２６とを備える。【選択図】        図２
2010154324.tif 000002
【特許請求の範囲】
【請求項１】
表示部を有する可動側筐体と互いに摺動自在に連結され、操作部を有する固定側筐体に装着されたキーパッドであって、
前記可動側筐体に対向する前記固定側筐体の表面に取り付けられ、中央側に操作者の操作を受け付ける操作キーを配置したシート状のキーパッド本体と、
前記操作キーを囲繞するように、前記キーパッド本体の外周側表面に一体成形され、前記可動側筐体の摺動時に当該可動側筐体と摺接するレール状の緩衝部材と
を備えることを特徴とするキーパッド。
【請求項２】
前記緩衝部材の高さが、前記操作キーよりも高いことを特徴とする請求項１に記載のキーパッド。
【請求項３】
前記キーパッド本体と前記緩衝部材とは、同一の材料で一体成形されていることを特徴とする請求項１または２に記載のキーパッド。
【請求項４】
操作部としてキーパッドを装着した装置筐体である固定側筐体と、表示部側の装置筐体である可動側筐体とを互いに摺動自在に連結した携帯端末装置であって、
前記キーパッドは、
前記可動側筐体に対向する前記固定側筐体の表面に取り付けられ、中央側に操作者の操作する操作キーを配置したシート状のキーパッド本体と、
前記操作キーを囲繞するように、前記キーパッド本体の外周側表面に一体成形され、前記可動側筐体の摺動時に当該可動側筐体と摺接するレール状の緩衝部材と
を備えることを特徴とする携帯端末装置。
【発明の詳細な説明】
【技術分野】
【０００１】
この発明は、キーパッド及び携帯端末装置に関する。この発明は、例えば、固定側筐体における可動側筐体との擦過傷の発生を回避すると共に、部品点数を削減し、組立作業性を改善することができるキーパッド及び携帯端末装置に関する。
【背景技術】
【０００２】
従来より、携帯電話機等の携帯端末装置における操作部には、テンキーを含む複数の操作キーを配置したキーパッドが組み込まれている（例えば、特許文献１参照）。
【０００３】
ここで、図６を参照して、従来のキーパッドが組み込まれた携帯電話機の構成について説明する。図６は、従来の携帯電話機の構成を示す外観斜視図である。図６に示すように、携帯電話機１０１は、操作部側の装置筐体である固定側筐体１０２と、表示部側の装置筐体である可動側筐体１０３とを、スライド構造により図中矢印で示す長手方向に互いに摺動自在に連結して構成されている。また、固定側筐体１０２に対向する可動側筐体１０３の表面には、可動側筐体１０３の摺動時に固定側筐体１０２と摺接する摺接部品１０３ａが設けられている。また、可動側筐体１０３に対向する固定側筐体１０２の表面のうち、可動側筐体１０３の摺接部品１０３ａとの摺接面１０２ａよりも内側には、テンキー等の種々の操作キー１０４ａを配置したキーパッド１０４が、この携帯電話機１０１における操作部として装着されている。
【０００４】
【特許文献１】特開２００６−３１９４１９号公報
【発明の開示】
【発明が解決しようとする課題】
【０００５】
しかしながら、上記した従来の構造では、固定側筐体１０２に対して可動側筐体１０３が摺動する度に、可動側筐体１０３の摺接部品１０３ａと固定側筐体１０２の摺接面１０２ａとの摩擦が繰り返されるため、固定側筐体１０２における摺接部品１０３ａとの摺接面１０２ａに擦過傷が発生する恐れがある。
【０００６】
ここで、固定側筐体１０２の摺接面１０２ａにおける擦過傷、すなわち、固定側筐体１０２における可動側筐体１０３との擦過傷の発生を回避するために、固定側筐体１０２の摺接面１０２ａに、可動側筐体１０３の摺接部品１０３ａとの摩擦を吸収するＰＯＭ（ｐｏｌｙａｃｅｔａｌ）等の緩衝部材を別途設けることも考えられる。しかしながら、緩衝部材を別途設けると、部品点数が増加してしまい、また、緩衝部材の取り付け作業等の煩雑な組立作業が新たに生じてしまうという弊害が発生する。
【０００７】
開示の技術は、上述した従来技術による問題点を解消するためになされたものであり、固定側筐体における可動側筐体との擦過傷の発生を回避すると共に、部品点数を削減し、組立作業性を改善することができるキーパッド及び携帯端末装置を提供することを目的とする。
【課題を解決するための手段】
【０００８】
上述した課題を解決し、目的を達成するため、本願の開示するキーパッドは、一つの態様において、表示部を有する可動側筐体と互いに摺動自在に連結され、操作部を有する固定側筐体に装着されたキーパッドであって、前記可動側筐体に対向する前記固定側筐体の表面に取り付けられ、中央側に操作者の操作を受け付ける操作キーを配置したシート状のキーパッド本体と、前記操作キーを囲繞するように、前記キーパッド本体の外周側表面に一体成形され、前記可動側筐体の摺動時に当該可動側筐体と摺接するレール状の緩衝部材とを備える。
【０００９】
この態様によれば、固定側筐体における可動側筐体との擦過傷の発生を回避すると共に、部品点数を削減し、組立作業性を改善することができる。
【発明の効果】
【００１０】
本願の開示するキーパッドの一つの態様によれば、固定側筐体における可動側筐体との擦過傷の発生を回避すると共に、部品点数を削減し、組立作業性を改善することができるという効果を奏する。
【発明を実施するための最良の形態】
【００１１】
以下に添付図面を参照して、本願の開示するキーパッド及び携帯端末装置の好適な実施の形態を詳細に説明する。
【実施例】
【００１２】
本実施例では、携帯端末装置として携帯電話機への適用例を示す。図１は、本実施例に係る携帯電話機の構成を示す外観斜視図である。図１に示すように、本実施例に係る携帯電話機１は、操作部としてキーパッド２０を装着した操作部側の装置筐体である固定側筐体２と、表示部側の装置筐体である可動側筐体３とを、所定のスライド構造により図中の矢印で示す長手方向に摺動自在に連結して構成されている。すなわち、携帯電話機１は、図示しない収縮状態から、固定側筐体２に対して可動側筐体３を長手方向に摺動させると、図１に示す伸長状態となる。
【００１３】
可動側筐体３は、表示部として内蔵されたＬＣＤ等の液晶表示装置（図示せず）を外部に対して視認可能とするための透明な表示パネル４を正面側に備えている。また、固定側筐体２に対向する可動側筐体３の表面、すなわち、可動側筐体３の表示パネル４と反対側の表面には、可動側筐体３の摺動時に固定側筐体２における後述の緩衝部材２６（図２〜図４参照）と摺接する摺接部材３ａが固定側筐体２に向けて突設されている。
【００１４】
次に、図２〜図４を参照して、固定側筐体２付近の構成について具体的に説明する。図２は、本実施例に係る携帯電話機１が伸長状態である場合の固定側筐体２付近の拡大斜視図であり、図３は、図２に示す固定側筐体２の分解斜視図であり、図４は、図２におけるＡ−Ａ線部分の概略的な断面図である。
【００１５】
固定側筐体２は、種々の電子部品を実装した実装基板１２が搭載された固定側リアケース１４と、固定側リアケース１４との間にキー検出装置であるドームシート１６を介在させつつ、当該固定側リアケース１４に対して取り付け固定された固定側フロントケース１８との２分割構造を備えている。また、固定側筐体２は、携帯電話機１における操作部として、キーパッド２０を固定側フロントケース１８に装着している。
【００１６】
キーパッド２０は、主として携帯電話機１における操作部として機能する部位であり、キーパッド本体２４と、緩衝部材２６とを備えている。キーパッド本体２４は、中央側に操作者の操作を受け付けるテンキー等の種々の操作キー２２を配置した例えば、ＰＥＴ（Ｐｏｌｙｅｔｈｙｌｅｎｅ ｔｅｒｅｐｈｔｈａｌａｔｅ）シート等からなるシート状の部材であり、可動側筐体３に対向する固定側筐体２の表面に取り付けられている。具体的には、キーパッド本体２４は、ドームシート１６を露出する開口１９を形成するために固定側フロントケース１８に形成された鍔部１８ａの可動側筐体３側の表面に、開口１９を塞ぐように貼り付けられている。固定側フロントケース１８の鍔部１８ａの表面にキーパッド本体２４を貼り付けた状態では、開口１９から露出したドームシート１６に、押し子状に形成された操作キー２２の裏面が接触する。そして、操作キー２２を操作者が押圧操作すると、ドームシート１６が、押圧操作された操作キー２２を検出し、その検出結果に応じた所定の信号を出力する。
【００１７】
緩衝部材２６は、操作キー２２を囲繞するように、キーパッド本体２４の外周側表面に一体成形され、可動側筐体３の摺動時に可動側筐体３と摺接するＵ字レール状の部材である。より具体的には、緩衝部材２６は、可動側筐体３の摺接部材３ａと摺接するように、キーパッド本体２４の外周側表面に接着により一体成形されている。また、緩衝部材２６の厚さは、緩衝部材２６と可動側筐体３の摺接部材３ａとを摺接したときに、可動側筐体３と固定側筐体２の固定側フロントケース１８とが直接接触しない程度の厚さに設定されている。これにより、固定側筐体２に対して可動側筐体３が摺動する際に、可動側筐体３が固定側筐体２を傷つけることを防止することができる。
【００１８】
また、緩衝部材２６は、可動側筐体３に対する摺動性及び耐磨耗性、より詳しくは、可動側筐体３の摺接部材３ａに対する摺動性及び耐磨耗性の高い材料、例えば、ポリウレタン等により形成されている。これにより、固定側筐体２に対して可動側筐体３をスムーズに摺動させることができると共に、可動側筐体３の摺動が繰り返し行われた場合であっても、緩衝部材２６の損傷を確実に防止することができる。
【００１９】
また、緩衝部材２６の高さは、操作キー２２よりも高く設定されている。このように、緩衝部材２６の高さを、操作キー２２よりも高く設定することにより、固定側筐体２に対して可動側筐体３が摺動する際に、可動側筐体３のガタツキ等の何らかの原因により可動側筐体３が操作キー２２に接触する可能性を低減することができる。つまり、固定側筐体２に対して可動側筐体３が摺動する際に、可動側筐体３が操作キー２２を傷つけることを防止することができる。
【００２０】
上述してきたように、本実施例に係る携帯電話機１では、キーパッド２０は、可動側筐体３に対向する固定側筐体２の表面に取り付けられ、中央側に操作者の操作を受け付ける操作キー２２を配置したシート状のキーパッド本体２４と、操作キー２２を囲繞するように、キーパッド本体２４の外周側表面に一体成形され、可動側筐体３の摺動時に可動側筐体３と摺接するレール状の緩衝部材２６とを備える。
【００２１】
このため、固定側筐体２に対して可動側筐体３が摺動する際に、可動側筐体３と固定側筐体２とが摺接することがなくなり、固定側筐体２における可動側筐体３との擦過傷の発生を回避することができる。また、携帯電話機１にて、操作者の操作を受け付ける操作部としての機能と、可動側筐体３との摩擦を吸収して擦過傷の発生を回避する機能とを１つのキーパッド２０で兼用することができ、図６に示した従来構造のように、可動側筐体との摩擦を吸収する緩衝部材を固定側筐体側に別途設ける必要がなくなる。したがって、部品点数を削減することができ、また、緩衝部材の取り付け作業等の煩雑な作業を省略することができることから、組立作業性も改善することができる。
【００２２】
また、緩衝部材２６は、可動側筐体３に対する摺動性及び耐磨耗性の高い材料により形成されているため、固定側筐体２に対して可動側筐体３をスムーズに摺動させることができると共に、可動側筐体３の摺動が繰り返し行われた場合であっても、緩衝部材２６の損傷を確実に防止することができる。
【００２３】
また、緩衝部材２６の高さは、操作キー２２よりも高く設定されていることにより、固定側筐体２に対して可動側筐体３が摺動する際に、可動側筐体３が操作キー２２を傷つけることを防止することができる。
【００２４】
（変形例）
図５は、キーパッド２０の変形例を示す説明図である。なお、図５では、図１〜図４に示す部位と同一の部位には、同一の符号を付し、その詳細な説明を省略する。
【００２５】
図５に示すように、変形例に係るキーパッド２０では、キーパッド本体２４と緩衝部材２６とが、同一の材料で一体成形されており、キーパッド本体１２４を形成している。キーパッド本体１２４は、例えば、成形用金型を用いた射出成型法を実行することにより、図１〜図４に示すキーパッド本体２４及び緩衝部材２６を合わせた形状と同様の形状に形成される。ここで、キーパッド本体１２４の材料としては、可動側筐体３に対する摺動性及び耐磨耗性、より詳しくは、可動側筐体３の摺接部材３ａに対する摺動性及び耐磨耗性の高い樹脂等の材料を選択することが望ましい。
【００２６】
上記のように構成した変形例のキーパッドを備えた携帯電話機によれば、上述した実施例の緩衝部材２６が不要となるので、さらに部品点数を少なくすることができる。
【００２７】
さて、これまで本発明の実施例について説明したが、本発明は上述した実施例以外にも、上記特許請求の範囲に記載した技術的思想の範囲内において種々の異なる実施例にて実施されてもよいものである。
【００２８】
例えば、本実施例では、携帯端末装置として、携帯電話機１への適用例を説明したが、これに限らず、ＰＤＡ（Ｐｅｒｓｏｎａｌ  Ｄｉｇｉｔａｌ Ａｓｓｉｓｔａｎｔｓ）のような小型情報処理端末、小型音楽再生装置、携帯テレビ、携帯型ゲーム機等の他の各種の携帯端末装置の場合にも適用することができる。
【００２９】
以上の実施例を含む実施形態に関し、さらに以下の付記を開示する。
【００３０】
（付記１）表示部を有する可動側筐体と互いに摺動自在に連結され、操作部を有する固定側筐体に装着されたキーパッドであって、
前記可動側筐体に対向する前記固定側筐体の表面に取り付けられ、中央側に操作者の操作を受け付ける操作キーを配置したシート状のキーパッド本体と、
前記操作キーを囲繞するように、前記キーパッド本体の外周側表面に一体成形され、前記可動側筐体の摺動時に当該可動側筐体と摺接するレール状の緩衝部材と
を備えることを特徴とするキーパッド。
【００３１】
（付記２）前記緩衝部材の高さが、前記操作キーよりも高いことを特徴とする付記１に記載のキーパッド。
【００３２】
（付記３）前記キーパッド本体と前記緩衝部材とは、同一の材料で一体成形されていることを特徴とする付記１または２に記載のキーパッド。
【００３３】
（付記４）操作部としてキーパッドを装着した装置筐体である固定側筐体と、表示部側の装置筐体である可動側筐体とを互いに摺動自在に連結した携帯端末装置であって、
前記キーパッドは、
前記可動側筐体に対向する前記固定側筐体の表面に取り付けられ、中央側に操作者の操作する操作キーを配置したシート状のキーパッド本体と、
前記操作キーを囲繞するように、前記キーパッド本体の外周側表面に一体成形され、前記可動側筐体の摺動時に当該可動側筐体と摺接するレール状の緩衝部材と
を備えることを特徴とする携帯端末装置。
【００３４】
（付記５）前記緩衝部材の高さが、前記操作キーよりも高いことを特徴とする付記４に記載の携帯端末装置。
【００３５】
（付記６）前記キーパッド本体と前記緩衝部材とは、同一の材料で一体成形されていることを特徴とする付記４または５に記載の携帯端末装置。
【図面の簡単な説明】
【００３６】
【図１】本実施例に係る携帯電話機の構成を示す外観斜視図である。
【図２】本実施例に係る携帯電話機が伸長状態である場合の固定側筐体付近の拡大斜視図である。
【図３】図２に示す固定側筐体の分解斜視図である。
【図４】図２におけるＡ−Ａ線部分の概略的な断面図である。
【図５】キーパッドの変形例を示す説明図である。
【図６】従来の携帯電話機の構成を示す外観斜視図である。
【符号の説明】
【００３７】
１        携帯電話機
２        固定側筐体
３        可動側筐体
２０      キーパッド
２２      操作キー
２４      キーパッド本体
２６      緩衝部材
【図１】
2010154324.tif 000003
【図２】
2010154324.tif 000004
【図３】
2010154324.tif 000005
【図４】
2010154324.tif 000006
【図５】
2010154324.tif 000007
【図６】
2010154324.tif 000008